(57)【特許請求の範囲】
【請求項１】
外部から受信した目的地情報に含まれる検索条件に従って地点検索を実施し、検索された地点を地図上に表示させる地図表示装置であって、
前記目的地情報には、名称、住所、電話番号のいずれか１つと目的地地点を示す第１の座標データが含まれており、
前記目的地情報を受信すると、前記目的地情報に含まれる名称、住所、電話番号のいずれかを前記検索条件として地点検索を実施する地点検索手段と、
自己の地図データを参照して前記地点検索手段により検索された特定地点を示す第２の座標データを取得する座標データ取得手段と、
前記第１の座標データにより示される第１の地点と前記第２の座標データにより示される第２の地点との距離が予め定められた閾値以下であるか否かを判定する距離判定手段と、
前記距離判定手段により前記第１の地点と前記第２の地点間の距離が前記閾値以下であると判定された場合には、前記第２の座標データにより示される前記第２の地点を目的地として地図上に表示させる表示制御手段と、を備えたことを特徴とする地図表示装置。
【請求項２】
外部から受信した目的地情報に含まれる検索条件に従って地点検索を実施し、検索された地点を地図上に表示させる地図表示装置であって、
前記目的地情報には、名称、住所、電話番号のいずれか１つと目的地地点を示す第１の座標データが含まれており、
前記目的地情報を受信すると、前記目的地情報に含まれる名称、住所、電話番号のいずれかを前記検索条件として地点検索を実施する地点検索手段と、
自己の地図データを参照して前記地点検索手段により検索された特定地点を示す第２の座標データを取得する座標データ取得手段と、
前記第１の座標データにより示される第１の地点と前記第２の座標データにより示される第２の地点との距離が予め定められた閾値以下であるか否かを判定する距離判定手段と、
前記距離判定手段により前記第１の地点と前記第２の地点間の距離が前記閾値よりも大きいと判定された場合には、前記第１の座標データにより示される前記第１の地点を目的地として地図上に表示させる表示制御手段と、を備えたことを特徴とする地図表示装置。
【請求項３】
外部から受信した目的地情報に含まれる検索条件に従って地点検索を実施し、検索された地点を地図上に表示させる地図表示装置であって、
前記目的地情報には、名称、住所、電話番号のいずれか１つと目的地地点を示す第１の座標データが含まれており、
前記目的地情報を受信すると、前記目的地情報に含まれる名称、住所、電話番号のいずれかを前記検索条件として地点検索を実施する地点検索手段と、
自己の地図データを参照して前記地点検索手段により検索された特定地点を示す第２の座標データを取得する座標データ取得手段と、
前記第１の座標データにより示される第１の地点と前記第２の座標データにより示される第２の地点との距離が予め定められた閾値以下であるか否かを判定する距離判定手段と、
前記距離判定手段により前記第１の地点と前記第２の地点間の距離が前記閾値以下であると判定された場合には、前記第２の座標データにより示される前記第２の地点を目的地として地図上に表示させ、前記距離判定手段により前記第１の地点と前記第２の地点間の距離が前記閾値よりも大きいと判定された場合には、前記第１の座標データにより示される前記第１の地点を目的地として地図上に表示させる表示制御手段と、を備えたことを特徴とする地図表示装置。
【請求項４】
前記目的地情報には、前記目的地地点を示す第１の座標データが必ずしも含まれるものではなく、
前記目的地情報に目的地地点を示す第１の座標データが含まれているか否かを判定する座標データ判定手段を備え、
前記距離判定手段は、前記座標データ判定手段により前記目的地情報に目的地地点を示す第１の座標データが含まれていると判定された場合、前記第１の座標データにより示される第１の地点と前記第２の座標データにより示される第２の地点との距離が予め定められた閾値以下であるか否かを判定することを特徴とする請求項１ないし３のいずれか１つに記載の地図表示装置。
【請求項５】
前記表示制御手段は、前記座標データ判定手段により前記目的地情報に前記第１の座標データが含まれていないと判定された場合、前記第２の座標データにより示される前記第２の地点を目的地として地図上に表示させることを特徴とする請求項４に記載の地図表示装置。
【請求項６】
前記第１、第２の地点のいずれかより前記目的地をユーザが選択するマニュアル選択設定となっているか否かを判定する選択設定判定手段を備え、
前記表示制御手段は、前記選択設定判定手段により前記マニュアル選択設定となっていると判定された場合には、前記第１、第２の地点を地図上に表示させ、ユーザにより選択された前記第１、第２の地点のいずれかの地点を目的地として地図上に表示させることを特徴とする請求項１ないし５のいずれか１つに記載の地図表示装置。
【発明の詳細な説明】
【技術分野】
【０００１】
本発明は、外部から受信した目的地情報に含まれる検索条件に従って地点検索を実施し、検索された地点を地図上に表示させる地図表示装置に関するものである。
【背景技術】
【０００２】
この種の地図表示装置として、携帯電話機の記憶媒体に記憶された氏名や住所、電話番号等の個別情報を含む電話帳データを携帯電話機の通信機能を利用して入力し、個別情報に含まれる住所または電話番号に基づいて地点座標を特定し、特定した地点座標に対応する地図上の位置に個別情報の内容を表示するようにしたものがある（例えば、特許文献１参照）。
【０００３】
また、地名や電話番号、住所が座標データと関連付けて格納された地図データを記憶する記憶媒体と、地図データを記憶した外部データベースと通信を行うための通信装置を備え、目的地情報に対応するデータが記憶媒体に記憶されていないときには、通信装置を用いて外部データベースより目的地情報に対応する座標データを取得して目的地を特定するようにして、新しい地名や電話番号が記憶媒体に記憶されていなくても目的地を特定できるようにしたものがある（例えば、特許文献２参照）。
【特許文献１】特開２００５−３４３１号公報
【特許文献２】特開２００２−２８６４７９号公報
【発明の開示】
【発明が解決しようとする課題】
【０００４】
上記特許文献１に記載された装置は、住所または電話番号に基づいて地点座標を特定し、そのまま特定した地点座標に対応する地図上の位置に個別情報の内容を表示するようになっている。したがって、例えば、個別情報に含まれる住所に都道府県名や市町村名等が記載されていないような場合、同じ地名の全く異なる地点の地点座標が特定され、見当違いの位置に個別情報の内容が表示されてしまう可能性があるといった問題があった。
【０００５】
つまり、名称、住所、電話番号のいずれかを検索条件として地点検索を実施し、検索された地点をそのまま地図上に表示するような場合、検索地点が正確な位置に表示されない場合があるといった問題があった。
【０００６】
また、特許文献２に記載された装置は、外部データベースより目的地情報に対応する座標データを取得して、取得した座標データに対応する位置を目的地として特定するようになっている。したがって、例えば、外部データベースに記憶された地図データと記憶媒体に記憶された自己の地図データとの間で座標の設定に相違があり、外部データベースより取得した座標データにずれが生じている場合、目的地がずれた位置に表示されてしまう場合があるといった問題があった。
【０００７】
本発明は上記問題に鑑みたもので、より正確な位置に検索された地点を表示できるようにすることを目的とする。
【課題を解決するための手段】
【０００８】
上記目的を達成するため、請求項１に記載の発明は、外部から受信した目的地情報に含まれる検索条件に従って地点検索を実施し、検索された地点を地図上に表示させる地図表示装置であって、目的地情報には、名称、住所、電話番号のいずれか１つと目的地地点を示す第１の座標データが含まれており、目的地情報を受信すると、目的地情報に含まれる名称、住所、電話番号のいずれかを検索条件として地点検索を実施する地点検索手段と、自己の地図データを参照して地点検索手段により検索された特定地点を示す第２の座標データを取得する座標データ取得手段と、第１の座標データにより示される第１の地点と第２の座標データにより示される第２の地点との距離が予め定められた閾値以下であるか否かを判定する距離判定手段と、距離判定手段により第１の地点と第２の地点間の距離が閾値以下であると判定された場合には、第２の座標データにより示される第２の地点を目的地として地図上に表示させる表示制御手段と、を備えたことを特徴としている。
【０００９】
このような構成によれば、第１の地点と第２の地点間の距離が閾値以下であると判定された場合には、自己の地図データを参照して取得した第２の座標データにより示される第２の地点を目的地として地図上に表示するので、目的地情報に含まれる第１の座標データにより示される第１の地点が地図データを参照して取得した第２の座標データにより示される第２の地点に補正されたように地図上に表示されることになり、例えば、目的地情報を送信する側で用いられている地図データと記憶媒体に記憶された自己の地図データとの間で座標の設定に多少相違があっても、目的地をずれた位置に表示してしまうことなく、より正確な位置に検索された地点を表示することができる。
【００１０】
また、上記目的を達成するため、請求項２に記載の発明は、外部から受信した目的地情報に含まれる検索条件に従って地点検索を実施し、検索された地点を地図上に表示させる地図表示装置であって、目的地情報には、名称、住所、電話番号のいずれか１つと目的地地点を示す第１の座標データが含まれており、目的地情報を受信すると、目的地情報に含まれる名称、住所、電話番号のいずれかを検索条件として地点検索を実施する地点検索手段と、自己の地図データを参照して地点検索手段により検索された特定地点を示す第２の座標データを取得する座標データ取得手段と、第１の座標データにより示される第１の地点と第２の座標データにより示される第２の地点との距離が予め定められた閾値以下であるか否かを判定する距離判定手段と、距離判定手段により第１の地点と第２の地点間の距離が閾値よりも大きいと判定された場合には、第１の座標データにより示される第１の地点を目的地として地図上に表示させる表示制御手段と、を備えたことを特徴としている。
【００１１】
目的地情報に含まれる名称、住所、電話番号のいずれかを検索条件として地点検索を実施し、検索された地点をそのまま地図上に表示する場合には、見当違いの地点を目的地として地図上に表示してしまう可能性があるが、上記した構成によれば、第１の地点と第２の地点間の距離が閾値よりも大きいと判定された場合には、目的地情報に含まれる第１の座標データにより示される第１の地点を目的地として地図上に表示するので、見当違いの地点を目的地として地図上に表示してしまうことがなく、より正確な位置に検索された地点を表示することができる。
【００１２】
また、上記目的を達成するため、請求項３に記載の発明は、外部から受信した目的地情報に含まれる検索条件に従って地点検索を実施し、検索された地点を地図上に表示させる地図表示装置であって、目的地情報には、名称、住所、電話番号のいずれか１つと目的地地点を示す第１の座標データが含まれており、目的地情報を受信すると、目的地情報に含まれる名称、住所、電話番号のいずれかを検索条件として地点検索を実施する地点検索手段と、自己の地図データを参照して地点検索手段により検索された特定地点を示す第２の座標データを取得する座標データ取得手段と、第１の座標データにより示される第１の地点と第２の座標データにより示される第２の地点との距離が予め定められた閾値以下であるか否かを判定する距離判定手段と、距離判定手段により第１の地点と第２の地点間の距離が閾値以下であると判定された場合には、第２の座標データにより示される第２の地点を目的地として地図上に表示させ、距離判定手段により第１の地点と第２の地点間の距離が閾値よりも大きいと判定された場合には、第１の座標データにより示される第１の地点を目的地として地図上に表示させる表示制御手段と、を備えたことを特徴としている。
【００１３】
このような構成によれば、第１の地点と第２の地点間の距離が閾値以下であると判定された場合には、自己の地図データを参照して取得した第２の座標データにより示される第２の地点を目的地として地図上に表示するので、目的地情報に含まれる第１の座標データにより示される第１の地点が地図データを参照して取得した第２の座標データにより示される第２の地点に補正されたように地図上に表示されることになり、例えば、目的地情報を送信する側で用いられている地図データと記憶媒体に記憶された自己の地図データとの間で座標の設定に多少相違があっても、目的地をずれた位置に表示してしまうことなく、より正確な位置に検索された地点を表示することができる。また、目的地情報に含まれる名称、住所、電話番号のいずれかを検索条件として地点検索を実施し、検索された地点をそのまま地図上に表示する場合には、見当違いの地点を目的地として地図上に表示してしまう可能性があるが、第１の地点と第２の地点間の距離が閾値よりも大きいと判定された場合には、目的地情報に含まれる第１の座標データにより示される第１の地点を目的地として地図上に表示するので、見当違いの地点を目的地として地図上に表示してしまうことがなく、より正確な位置に検索された地点を表示することができる。
【００１４】
また、請求項４に記載の発明のように、目的地情報には、目的地地点を示す第１の座標データが必ずしも含まれるものではなく、目的地情報に目的地地点を示す第１の座標データが含まれているか否かを判定する座標データ判定手段を備え、距離判定手段は、座標データ判定手段により目的地情報に目的地地点を示す第１の座標データが含まれていると判定された場合、第１の座標データにより示される第１の地点と第２の座標データにより示される第２の地点との距離が予め定められた閾値以下であるか否かを判定することができる。
【００１５】
また、請求項５に記載の発明のように、表示制御手段は、座標データ判定手段により目的地情報に第１の座標データが含まれていないと判定された場合、第２の座標データにより示される第２の地点を目的地として地図上に表示させることができる。
【００１６】
また、請求項６に記載の発明は、第１、第２の地点のいずれかより目的地をユーザが選択するマニュアル選択設定となっているか否かを判定する選択設定判定手段を備え、表示制御手段は、選択設定判定手段によりマニュアル選択設定となっていると判定された場合には、第１、第２の地点を地図上に表示させ、ユーザにより選択された第１、第２の地点のいずれかの地点を目的地として地図上に表示させることを特徴としている。
【００１７】
このような構成によれば、第１、第２の地点のいずれかより目的地をユーザが選択するマニュアル選択設定となっていると判定された場合には、第１、第２の地点を地図上に表示させ、ユーザにより選択された第１、第２の地点のいずれかの地点を目的地として地図上に表示させるので、ユーザが意図する地点を目的地として地図上に表示させることができる。
【発明を実施するための最良の形態】
【００１８】
本発明の一実施形態に係る地図表示装置の構成を図１に示す。本地図表示装置は、目的地に至る案内経路を探索し、案内経路に従って走行案内を行うナビゲーション装置として構成されている。本ナビゲーション装置は、外部通信装置１０、地図データ取得部１１、受信データ記憶部１２、表示部１３、操作部１４および制御部１５を備えている。
【００１９】
外部通信装置１０は、各地に設置された無線基地局を介してネットワークに接続し、当該ネットワーク上の通信装置（以下、外部通信装置という）と通信するための装置である。
【００２０】
地図データ取得部１１は、地図データを記憶した不揮発性の記憶媒体から地図データを取得するための装置である。なお、地図データを記憶した不揮発性の記憶媒体としては、ＣＤ、ＤＶＤ、ハードディスクドライブ、メモリカード等がある。
【００２１】
地図データには、各リンクのリンクＩＤ、リンク長、道路幅員、道路種別、車線数、信号機の位置等を表す道路データ、位置検出精度を向上するためのいわゆるマップマッチングデータ、川、湖、海、鉄道、施設などの位置、形状、名称を表す背景データ、各地の施設の名称、住所、電話番号を座標データと関連付けした施設データ等が含まれる。
【００２２】
受信データ記憶部１２は、外部通信装置１０を介して外部より受信した受信データを記憶するメモリによって構成されている。
【００２３】
表示部１３は、液晶等のディスプレイを有し、制御部１５から入力される映像信号に応じた映像をディスプレイに表示させる。
【００２４】
操作部１４は、表示部１３のディスプレイの前面に重ねて設けられたタッチスイッチ、表示部１３のディスプレイの周囲に配置されたメカニカルスイッチ等により構成され、ユーザのスイッチ操作に応じた信号を制御部１５へ出力する。
【００２５】
制御部１５は、ＣＰＵ、メモリ、Ｉ／Ｏ等を備えたコンピュータとして構成されており、ＣＰＵはメモリに記憶されたプログラムに従って各所処理を実施する。
【００２６】
制御部１５の処理としては、ユーザの操作に応じて外部通信装置１０を介してコールセンターと通信接続する通信接続処理、外部通信装置１０を介してコールセンターから目的地情報を受信すると受信した目的地情報を受信データ記憶部１２に記憶させる受信データ記憶処理、ユーザによる操作部１４の操作に応じて施設検索を実施して検索結果を表示部１３のディスプレイに表示させる施設検索処理等がある。
【００２７】
本ナビゲーション装置は、ユーザの操作部１４の操作によりコールセンターへの通信回線の接続指示があると、外部通信装置１０を介してコールセンターに接続し、ユーザとコールセンターのオペレータの間で通話が可能な状態となる。また、ユーザがコールセンターのオペレータに所望の目的地条件を伝えると、コールセンターから目的地条件に該当する目的地情報が送信されるようになっている。この目的地情報には、検索条件としての住所と、目的地地点を示す座標データが含まれる。ただし、目的地地点を示す座標データについては、目的地情報に含まれない場合もある。
【００２８】
制御部１５は、コールセンターから送信される目的地情報に含まれる検索条件に従って地点検索を実施し、検索された地点を地図上に表示させる処理を実施する。
【００２９】
図２に、この処理のフローチャートを示す。制御部１５は、外部通信装置１０を介してコールセンターと通信が確立すると、図２に示す処理を開始する。
【００３０】
まず、コールセンターから目的地情報を受信したか否かを判定する（Ｓ１００）。
【００３１】
目的地情報を受信しない場合には、Ｓ１００の判定を繰り返し実施する。また、目的地情報を受信すると、Ｓ１００の判定はＹＥＳとなり、次に、住所検索（アドレス検索）を実施する（Ｓ１０２）。具体的には、地図データに含まれる施設データを参照して目的地情報に含まれる住所を検索条件として住所検索を実施する。
【００３２】
次に、住所検索の検索結果が１件のみか否かを判定する（Ｓ１０４）。
【００３３】
住所検索の検索結果が１件のみの場合、Ｓ１０４の判定はＹＥＳとなり、次に、検索地点の座標データを取得する（Ｓ１０６）。具体的には、地図データを参照して住所検索により検索された検索地点を示す座標データ（第２の座標データ）を取得する（Ｓ１０６）。
【００３４】
次に、目的地情報に目的地地点を示す受信座標が含まれているか否かを判定する（Ｓ１０８）。すなわち、目的地情報に目的地地点を示す座標データ（第１の座標データ）が含まれているか否かを判定する。
【００３５】
ここで、目的地情報に目的地地点を示す座標データが含まれている場合、Ｓ１０８の判定はＹＥＳとなり、次に、地点表示に関するユーザ設定がマニュアル選択となっているか自動選択となっているかを判定する（Ｓ１１０）。
【００３６】
本実施形態において、目的地情報に含まれる受信座標により示される地点と検索地点を示す座標により示される地点間の距離を算出して最適な地点を自動で選択する自動選択設定と、ユーザ操作により目的地情報に含まれる受信座標により示される地点と、検索地点を示す座標により示される地点のいずれかを選択するマニュアル選択設定のいずれかをユーザが事前に設定するようになっており、ユーザ設定がどちらの設定になっているか否かを判定する。
【００３７】
ユーザ設定が自動選択になっている場合、次に、検索地点の座標位置と受信座標位置の直線距離を算出する（Ｓ１１２）。具体的には、目的地情報に含まれる目的地地点を示す座標データ（第１の座標データ）により示される第１の地点と、検索地点を示す座標データ（第２の座標データ）により示される第２の地点間の直線距離を算出する。
【００３８】
次に、第１の地点と第２の地点間の直線距離が予め定められた閾値（例えば、１キロメートル）以下であるか否かを判定する（Ｓ１１４）。
【００３９】
ここで、第１の地点と第２の地点間の直線距離が予め定められた閾値以下の場合、Ｓ１１４の判定はＹＥＳとなり、検索地点の座標位置を目的地として地図上に表示させる（Ｓ１１６）。具体的には、検索地点を示す座標データ（第２の座標データ）により示される第２の地点を目的地として地図上に表示させる。
【００４０】
このように、第１の地点と第２の地点間の直線距離が予め定められた閾値以下の場合には、検索地点を示す座標データ（第２の座標データ）により示される第２の地点が誤った地点ではないとして、第２の地点を目的地として地図上に表示させるようになっている。
【００４１】
また、第１の地点と第２の地点間の直線距離が予め定められた閾値よりも大きい場合には、Ｓ１１４の判定はＮＯとなり、検索地点の座標位置を目的地として地図上に表示させる（Ｓ１１８）。具体的には、目的地情報に含まれる目的地地点を示す座標データ（第１の座標データ）により示される第１の地点を目的地として地図上に表示させる。
【００４２】
このように、第１の地点と第２の地点間の直線距離が予め定められた閾値よりも大きい場合には、検索地点を示す座標データ（第２の座標データ）により示される第２の地点が誤った地点であるとし、第２の地点ではなく第１の地点を目的地として地図上に表示させるようになっている。
【００４３】
また、上記ユーザ設定がマニュアル選択になっている場合には、検索地点の座標位置と受信座標位置の両方を表示させる（Ｓ１２０）。具体的には、検索地点の座標位置と受信座標位置の両方を表示させ、いずれか一方の選択を促す画面を表示させる。
【００４４】
そして、ユーザが選択した座標が検索地点の座標であるか受信座標であるかを判定する（Ｓ１２２）。
【００４５】
ユーザにより検索地点の座標が選択された場合、Ｓ１１６へ進む。したがって、検索地点を示す座標データ（第２の座標データ）により示される第２の地点が目的地として地図上に表示される。
【００４６】
また、ユーザにより受信座標が選択された場合には、Ｓ１１８へ進む。したがって、目的地情報に含まれる目的地地点を示す座標データ（第１の座標データ）により示される第１の地点が目的地として地図上に表示される。
【００４７】
また、上述した住所検索の検索結果が０件または複数件となった場合、Ｓ１０４の判定はＮＯとなり、次に、目的地情報に受信座標が含まれるか否かを判定する（Ｓ１２４）。すなわち、目的地情報に目的地地点を示す座標データ（第１の座標データ）が含まれるか否かを判定する。
【００４８】
ここで、目的地情報に目的地地点を示す座標データ（第１の座標データ）が含まれる場合、Ｓ１２４の判定はＹＥＳとなり、Ｓ１１８へ進む。したがって、検索地点を示す座標データ（第２の座標データ）により示される第２の地点が目的地として地図上に表示される。
【００４９】
また、目的地情報に目的地地点を示す座標データ（第１の座標データ）が含まれない場合には、Ｓ１２４の判定はＮＯとなり、次に、「検索結果なし」または「エラー表示」を行う（Ｓ１２６）。具体的には、住所検索の検索結果が０件である場合には、検索結果がなしであることを表すメッセージを表示し、住所検索の検索結果が複数件となった場合には、エラーであることを示す表示を行い、本処理を終了する。
【００５０】
上記した構成では、目的地情報には、名称、住所、電話番号のいずれか１つと目的地地点を示す第１の座標データが含まれており、目的地情報を受信すると、目的地情報に含まれる名称、住所、電話番号のいずれかを検索条件として地点検索を実施し、自己の地図データを参照して検索された特定地点を示す第２の座標データを取得し、第１の座標データにより示される第１の地点と第２の座標データにより示される第２の地点との距離が予め定められた閾値以下であるか否かを判定し、第１の地点と第２の地点間の距離が閾値以下であると判定された場合には、第２の座標データにより示される第２の地点が目的地として地図上に表示され、第１の地点と第２の地点間の距離が閾値よりも大きいと判定された場合には、第１の座標データにより示される第１の地点が目的地として地図上に表示される。
【００５１】
このような構成によれば、第１の地点と第２の地点間の距離が閾値以下であると判定された場合には、自己の地図データを参照して取得した第２の座標データにより示される第２の地点が目的地として地図上に表示されるので、目的地情報に含まれる第１の座標データにより示される第１の地点が地図データを参照して取得した第２の座標データにより示される第２の地点に補正されたように地図上に表示されることになり、例えば、目的地情報を送信する側で用いられている地図データと記憶媒体に記憶された自己の地図データとの間で座標の設定に多少相違があっても、目的地をずれた位置に表示してしまうことなく、より正確な位置に検索された地点を表示することができる。
【００５２】
また、目的地情報に含まれる名称、住所、電話番号、座標データのいずれかを検索条件として地点検索を実施し、検索された地点をそのまま地図上に表示する場合には、見当違いの地点を目的地として地図上に表示してしまう可能性があるが、上記した構成によれば、第１の地点と第２の地点間の距離が閾値よりも大きいと判定された場合には、目的地情報に含まれる第１の座標データにより示される第１の地点が目的地として地図上に表示されるので、見当違いの地点を目的地として地図上に表示してしまうことがなく、より正確な位置に検索された地点を表示することができる。
【００５３】
また、第１、第２の地点のいずれかより目的地をユーザが選択するマニュアル選択設定となっていると判定された場合、第１、第２の地点を地図上に表示させ、ユーザにより選択された第１、第２の地点のいずれかの地点を目的地として地図上に表示させるので、ユーザが意図する地点を目的地として地図上に表示させることができる。
【００５４】
なお、本発明は上記実施形態に限定されるものではなく、本発明の趣旨に基づいて種々なる形態で実施することができる。
【００５５】
例えば、上記実施形態では、Ｓ１０２にて目的地情報に含まれる住所を検索条件として住所検索を実施したが、住所検索に限定されるものではなく、目的地情報に含まれる目的地の名称を検索条件とした名称検索、目的地情報に含まれる目的地の電話番号を検索条件とした電話番号検索を実施するようにしてもよい。
【００５６】
また、上記実施形態では、Ｓ１１２にて検索地点の座標位置と受信座標位置の直線距離を算出し、Ｓ１１４にて第１の地点と第２の地点間の直線距離が予め定められた閾値以下であるか否かを判定したが、このような直線距離に限定されるものではなく、例えば、検索地点の座標位置と受信座標位置の道なり距離が閾値以下であるか否かを判定するようにしてもよい。
【００５７】
また、上記実施形態では、Ｓ１１４にて第１の地点と第２の地点間の直線距離が予め定められた閾値以下であると判定された場合、Ｓ１１６へ進み、検索地点を示す座標データ（第２の座標データ）により示される第２の地点を目的地として地図上に表示させたが、このような表示を行うことなく、例えば、目的地情報に含まれる目的地地点を示す座標データ（第１の座標データ）により示される第１の地点を目的地として地図上に表示させるとともに、目的地の表示位置の精度が低い可能性があることを示すメッセージを表示させるようにしてもよい。
【００５８】
また、上記実施形態では、Ｓ１１４にて第１の地点と第２の地点間の直線距離が予め定められた閾値よりも大きいと判定された場合、Ｓ１１８へ進み、目的地情報に含まれる目的地地点を示す座標データ（第１の座標データ）により示される第１の地点を目的地として地図上に表示させたが、このような表示を行うことなく、例えば、検索地点を示す座標データにより示される第１の地点を目的地として地図上に表示させるとともに、目的地の表示位置の精度が低い可能性があることを示すメッセージを表示させるようにしてもよい。
【００５９】
また、上記実施形態では、目的地情報に目的地地点を示す座標データが含まれる場合と含まれない場合があり、Ｓ１０８にて目的地情報に目的地地点を示す受信座標が含まれているか否かを判定するように構成したが、目的地情報に目的地地点を示す座標データが含まれるように構成してもよい。この場合には、Ｓ１０８の判定ステップを省略してもよい。
【００６０】
また、上記実施形態では、コールセンターから目的地情報を受信したが、例えば、携帯電話やＰＤＡ等の外部機器と通信するためのインタフェースを備え、このインタフェース介して目的地情報を受信する構成に適用してもよい。
【００６１】
また、上記実施形態では、Ｓ１０４にて住所検索の検索結果が１件のみか否かを判定した後にＳ１０８にて目的地情報に目的地地点を示す受信座標が含まれるか否かを判定したが、Ｓ１０８にて目的地情報に目的地地点を示す受信座標が含まれるか否かを判定した後にＳ１０４にて住所検索の検索結果が１件のみか否かを判定するようにしてもよい。
【００６２】
また、上記実施形態では、Ｓ１０４にて地点検索の検索結果が１件か否かを判定し、検索結果が１件の場合にＳ１０６へ進むようにしたが、例えば、地点検索の検索結果が複数の場合であってもＳ１０６へ進むようにしてもよい。
【００６３】
なお、上記実施形態における構成と特許請求の範囲の構成との対応関係について説明すると、Ｓ１０２が地点検索手段に相当し、Ｓ１０８が座標データ判定手段に相当し、Ｓ１０６が座標データ取得手段に相当し、Ｓ１１４が距離判定手段に相当し、Ｓ１１６、Ｓ１１８、Ｓ１２０、Ｓ１２２が表示制御手段に相当し、Ｓ１１０が選択設定判定手段に相当する。
【図面の簡単な説明】
【００６４】
【図１】本発明の一実施形態に係る地図表示装置の構成を示す図である。
【図２】制御部の処理を示すフローチャートである。
【符号の説明】
【００６５】
１０  外部通信装置
１１  地図データ取得部
１２  受信データ記憶部
１３  表示部
１４  操作部
１５  制御部
【図１】
0004466749.tif 000002
【図２】
0004466749.tif 000003